(57)【特許請求の範囲】
【請求項１】
カテーテルコネクタの梱包、発送、及び取扱いの間に使用するためのカテーテルコネクタアセンブリであって、
本体部を有するカテーテルコネクタであって、前記本体部は、第２半体と軸線方向に整列した第１半体を有し、前記第１半体は、前記第２半体に対して開位置と閉位置との間で回転可能であり、前記第１半体は前記本体部の遠位端を画定し、前記第２半体は前記本体部の近位端を画定する、該カテーテルコネクタと、
流体供給デバイスにそれと連通するように嵌合接続するために、前記第２半体の前記近位端を用いて構成された近位端ポートと、
前記カテーテルコネクタの梱包、発送、及び取扱いの間に前記カテーテルコネクタを前記開位置に維持するように前記本体部が前記開位置にあるとき前記本体部を用いて構成されるインサートとを備えることを特徴とするカテーテルコネクタアセンブリ。
【請求項２】
請求項１に記載のカテーテルコネクタアセンブリであって、
前記インサートは、前記インサートが前記カテーテルコネクタを前記開位置に維持するように前記第１半体が前記開位置にあるとき前記第１半体及び前記第２半体内にぴったりと適合するように構成されることを特徴とするカテーテルコネクタアセンブリ。
【請求項３】
請求項２に記載のカテーテルコネクタアセンブリであって、
前記インサートは、前記インサートが前記カテーテルコネクタを前記開位置に維持するように前記第１半体が前記開位置にあるとき前記第１半体及び前記第２半体内にぴったりと適合するように構成された棒状部材を含むことを特徴とするカテーテルコネクタアセンブリ。
【請求項４】
請求項３に記載のカテーテルコネクタアセンブリであって、
前記インサートは、前記棒状部材を用いて構成されるタブ部材を更に有し、前記タブ部材は、前記棒状部材が前記本体部の前記第１半体及び前記第２半体内に挿入されているとき前記カテーテルコネクタの外部に延び、前記タブ部材は前記カテーテルコネクタから前記インサートを取り外す場合にユーザがつまむことが可能な形状に構成されることを特徴とするカテーテルコネクタアセンブリ。
【請求項５】
請求項１〜４のいずれか一項に記載のカテーテルコネクタアセンブリであって、
前記開位置は、前記第１半体が前記第２半体に対して４５度回転された状態であることを含むことを特徴とするカテーテルコネクタアセンブリ。
【請求項６】
請求項１〜５のいずれか一項に記載のカテーテルコネクタアセンブリであって、
前記インサートは、前記インサートが前記カテーテルコネクタを前記開位置に維持するように前記カテーテルコネクタが前記開位置にあるとき前記本体部の外部表面の周囲に少なくとも部分的にぴったりと適合するように構成されることを特徴とするカテーテルコネクタアセンブリ。
【請求項７】
請求項６に記載のカテーテルコネクタアセンブリであって、
前記インサートは、中空の内部を有するハウジングを更に備え、前記中空の内部は、前記開位置にある前記カテーテルコネクタの外部形状に対応する形状を有し、前記カテーテルコネクタの少なくとも一部分が、前記インサートが前記カテーテルコネクタを前記開位置に維持するように前記ハウジング内にぴったりと適合するように構成されることを特徴とするカテーテルコネクタアセンブリ。
【請求項８】
請求項６に記載のカテーテルコネクタアセンブリであって、
前記インサートは、前記インサートを前記第１半体の前記外部表面の周囲に少なくとも部分的に固定するように構成された１以上のロック構造を更に含むことを特徴とするカテーテルコネクタアセンブリ。
【請求項９】
請求項８に記載のカテーテルコネクタアセンブリであって、
前記ロック構造は、成形スナップ部、アドオングリップ突条部、突出部、及び接着剤のなかの１つまたは２以上の任意の組み合わせを含むことを特徴とするカテーテルコネクタアセンブリ。
【請求項１０】
請求項１〜９のいずれか一項に記載のカテーテルコネクタアセンブリであって、
前記インサートが、金属材料および／またはプラスチック材料から作製されることを特徴とするカテーテルコネクタアセンブリ。
【請求項１１】
請求項１０に記載のカテーテルコネクタアセンブリであって、
前記インサートが、ポリカーボネート、ポリプロピレン、ポリウレタン、ポリエステル、エポキシ樹脂、フェノール樹脂、ポリ塩化ビニル（ＰＶＣ）、及び金属のなかの１つまたは２以上の任意の組み合わせを含む材料から作製されることを特徴とするカテーテルコネクタアセンブリ。
【請求項１２】
カテーテルコネクタの梱包、発送、及び取扱いの間に使用するためのカテーテルコネクタのためのインサートであって、
前記カテーテルコネクタ内にぴったりと適合するように構成された棒状部材を備え、
前記カテーテルコネクタは本体部を有し、前記本体部は、第２半体と軸線方向に整列した第１半体を有し、前記第１半体は、前記第２半体に対して開位置と閉位置との間で回転可能であり、前記棒状部材は、前記カテーテルコネクタの梱包、発送、及び取扱いの間に前記カテーテルコネクタを前記開位置に維持するように前記カテーテルコネクタが前記開位置にあるとき前記第１半体及び前記第２半体内にぴったりと適合するように構成されることを特徴とするインサート。
【請求項１３】
請求項１２に記載のインサートであって、
前記棒状部材を用いて構成されるタブ部材を更に有し、前記タブ部材は、前記棒状部材が前記カテーテルコネクタの前記第１半体及び前記第２半体内に挿入されているとき前記カテーテルコネクタの外部に延び、前記タブ部材は前記カテーテルコネクタから前記インサートを取り外す場合にユーザがつまむことが可能な形状に構成されることを特徴とするカテーテルコネクタアセンブリ。
【請求項１４】
請求項１２または１３に記載のインサートであって、
前記開位置は、前記第１半体が前記第２半体に対して４５度回転された状態であることを含むことを特徴とするインサート。
【請求項１５】
請求項１２〜１４のいずれか一項に記載のインサートであって、
前記インサートが、ポリカーボネート、ポリプロピレン、ポリウレタン、ポリエステル、エポキシ樹脂、フェノール樹脂、ポリ塩化ビニル（ＰＶＣ）、及び金属のなかの１つまたは２以上の任意の組み合わせを含む材料から作製されることを特徴とするインサート。
【請求項１６】
カテーテルコネクタの梱包、発送、及び取扱いの間に使用するためのカテーテルコネクタのためのインサートであって、
前記カテーテルコネクタの外部表面の周囲に少なくとも部分的にぴったりと適合するように構成されたハウジングを有し、
前記カテーテルコネクタは本体部を有し、前記本体部は、第２半体と軸線方向に整列した第１半体を有し、前記第１半体は、前記第２半体に対して開位置と閉位置との間で回転可能であり、前記ハウジングは中空の内部を有し、前記中空の内部は、前記開位置にある前記カテーテルコネクタの外部形状に対応する形状を有し、前記カテーテルコネクタの少なくとも一部分は、前記カテーテルコネクタの梱包、発送、及び取扱いの間に前記カテーテルコネクタを前記開位置に維持するように前記カテーテルコネクタが前記開位置にあるとき前記ハウジング内にぴったりと適合するように構成されることを特徴とするインサート。
【請求項１７】
請求項１６に記載のインサートであって、
前記開位置は、前記第１半体が前記第２半体に対して４５度回転された状態であることを含むことを特徴とするインサート。
【請求項１８】
請求項１６または１７に記載のインサートであって、
前記インサートを前記第１半体の前記外部表面の周囲に少なくとも部分的に固定するように構成された１以上のロック構造を更に含むことを特徴とするインサート。
【請求項１９】
請求項１８に記載のインサートであって、
前記ロック構造は、成形スナップ部、アドオングリップ突条部、突出部、及び接着剤のなかの１つまたは２以上の任意の組み合わせを含むことを特徴とするインサート。
【請求項２０】
請求項１６〜１９のいずれか一項に記載のインサートであって、
前記インサートが、ポリカーボネート、ポリプロピレン、ポリウレタン、ポリエステル、エポキシ樹脂、フェノール樹脂、ポリ塩化ビニル（ＰＶＣ）、及び金属のなかの１つまたは２以上の任意の組み合わせを含む材料から作製されることを特徴とするインサート。
【発明の詳細な説明】
【技術分野】
【０００１】
本出願は、２０１４年５月１６日を出願日とする米国特許出願第１４／２７９，９６９号を基礎とする優先権を主張するものであり、これらの出願の内容は、引用により本明細書の一部とする。
本発明は、概して医療用カテーテルの分野に関し、特にカテーテルコネクタの梱包、発送、及び取扱いの間に使用するためのカテーテルコネクタのためのインサートに関する。
【背景技術】
【０００２】
種々の医療処置のために患者に液体を供給または患者から液体を吸引するためのカテーテルを用いることがよく知られている。例えば、米国特許出願第７９５９６２３号明細書（特許文献１）には、液体医薬をポンプからチューブを介して創傷部位に供給するための注入カテーテルの種々の実施形態を用いる疼痛管理システムが記載されている。そのような構成では、カテーテルコネクタは、一般的には、カテーテルを、チューブ、液体リザーバ、または他の流体供給デバイス等の種々のデバイスに接続するために用いられる。特許文献１のシステムでは、従来型のツオヒ・ボースト（Ｔｕｏｈｙ  Ｂｏｒｓｔ）コネクタを用いて、医療用チューブの遠位端をカテーテルの近位端に接続している。
【０００３】
ツオヒ・ボーストコネクタに加えて、他の種々の形態のカテーテルコネクタが利用可能である。例えば、米国テキサス州ファーマーズ・ブランチのＥｐｉｍｅｄ  Ｉｎｔｅｒｎａｔｉｏｎａｌ社は、Ｓｔｉｎｇｒａｙ（商標）コネクタとして知られる低プロフィールのねじロック式カテーテルコネクタを製造している。このデバイスは軸線方向に整列した２つの半体を有し、２つの半体をねじってカテーテルの第１の半体への挿入を可能にする開位置にし、その後にねじってカテーテルとの完全な係合を示す可聴クリック音または触覚で認識可能なクリック感とともに閉位置にする。第２の半体は、液体を、コネクタを介してカテーテルに供給するためのチューブまたは他の流体供給デバイスに接続される。更に２つの半体の間には、コネクタが閉位置にあるときカテーテルを圧縮し、把持する内側エラストマーチューブを備える成形ブッシュが存在する。
【０００４】
Ｓｔｉｎｇｒａｙ（商標）コネクタ、並びに類似の構成を有する他のコネクタの梱包、発送、及び取扱いの間には、コネクタが開位置のままであることが重要である。コネクタが閉じると、ロック顎部が閉位置に残り、それを通してカテーテルを挿入することが不可能になるからである。より詳細には、コネクタが閉位置にあるとき、２つの半体はカテーテルの上の内側エラストマーチューブを内向きに押してつぶす。コネクタは一般的には柔軟なプラスチック製なので、成形ブッシュ及び内側エラストマーチューブは、閉位置ではそれらの強度を失うことがある。従って、負荷が取り除かれたときであっても、エラストマーチューブの内径はより小さくなることがあり、これがカテーテルをそのチューブを通して挿入するのを妨げることがある。
【０００５】
従って、Ｓｔｉｎｇｒａｙ（商標）コネクタカテーテルコネクタ等のカテーテルコネクタを、その梱包、発送、及び取扱いの間に開位置に維持するように設計されたインサートが、当分野で必要とされている。
【先行技術文献】
【特許文献】
【０００６】
【特許文献１】米国特許出願第７９５９６２３号明細書
【発明の概要】
【課題を解決するための手段】
【０００７】
本発明の目的及び効果は、一部は後述の説明に記載され、或いはその説明から自明であるか、本発明の実施を通して明らかとなるものであり得る。
【０００８】
ある一定の態様では、本発明は、カテーテルコネクタの梱包、発送、及び取扱いの間に使用するためのインサートを有するカテーテルコネクタアセンブリに関する。このアセンブリは本体部を有し、前記本体部は第２半体と軸線方向に整列した第１半体を有する。前記第１半体は、前記第２半体に対して開位置と閉位置との間で回転可能である。前記第１半体は前記本体部の遠位端を画定し、前記第２半体は前記本体部の近位端を画定する。近位端ポートは、流体供給デバイスにそれと連通するように嵌合接続するために、前記第２半体の近位端とともに構成される。インサートは、前記カテーテルコネクタの梱包、発送、及び取扱いの間に前記カテーテルコネクタを開位置に維持するように前記本体部が前記開位置にあるとき前記本体部を用いて構成される。
【０００９】
一実施形態では、前記インサートは、前記インサートが前記カテーテルコネクタを前記開位置に維持するように前記第１半体が前記開位置にあるとき前記第１半体及び前記第２半体内にぴったりと適合するように構成される。より具体的には、特定の実施形態において、前記インサートは、前記インサートが前記カテーテルコネクタを前記開位置に維持するように前記第１半体が前記開位置にあるとき前記第１半体及び前記第２半体内にぴったりと適合するように構成された棒状部材を含み得る。加えて、前記インサートは、前記棒状部材を用いて構成されるタブ部材を更に有し得る。前記タブ部材は、前記棒状部材が前記本体部の前記第１半体及び前記第２半体内に挿入されているとき前記カテーテルコネクタの外部に延びる。従って、前記タブ部材は前記カテーテルコネクタから前記インサートを取り外す場合にユーザを補助するように構成される。更に別の実施形態では、前記開位置は、前記第１半体が前記第２半体に対して約４５度回転された状態であることを含む。
【００１０】
別の実施形態では、前記インサートは、前記インサートが前記カテーテルコネクタを前記開位置に維持するように前記本体部が前記開位置にあるとき前記本体部の外部表面の周囲に少なくとも部分的にぴったりと適合するように構成される。より具体的には、特定の実施形態において、前記インサートは、中空の内部を有するハウジングを更に備える。前記中空の内部は、前記開位置にある前記カテーテルコネクタの外部形状に対応する形状を有する。従って、前記カテーテルコネクタの少なくとも一部分が、前記インサートが前記カテーテルコネクタを前記開位置に維持するように前記ハウジング内にぴったりと適合するように構成される。
【００１１】
そのような実施形態の１つでは、前記インサートは、前記インサートを前記第１半体の前記外部表面の周囲に少なくとも部分的に固定するように構成された１以上のロック構造を更に含むことができる。例えば、種々の実施形態において、前記ロック構造は、成形スナップ部、アドオングリップ突条部、突出部、及び接着剤のなかの１つまたは２以上の任意の組み合わせを含み得る。
【００１２】
更に別の実施形態では、前記インサートが、高剛性の材料から作られたものであり得る。種々の実施形態では、前記高剛性の材料が、プラスチック材料、ポリカーボネート、ポリプロピレン、ポリウレタン、ポリエステル、エポキシ樹脂、フェノール樹脂、ポリ塩化ビニル（ＰＶＣ）、金属、及び他の剛性または半剛性材料のなかの１つまたは２以上の任意の組み合わせを含む。
【００１３】
更なる態様では、本発明は、カテーテルコネクタの梱包、発送、及び取扱いの間に使用するためのカテーテルコネクタのためのインサートに関する。前記インサートは、前記カテーテルコネクタ内にぴったりと適合するように構成された棒状部材を備える。前記カテーテルコネクタは本体部を有し、前記本体部は、第２半体と軸線方向に整列した第１半体を有する。前記第１半体は、前記第２半体に対して開位置と閉位置との間で回転可能である。従って、前記棒状部材は、前記カテーテルコネクタの梱包、発送、及び取扱いの間に前記カテーテルコネクタを前記開位置に維持するように前記カテーテルコネクタが前記開位置にあるとき前記第１半体及び前記第２半体内にぴったりと適合するように構成される。本明細書に記載された前記インサートは、他のあらゆる特徴も含み得ることを理解されたい。
【００１４】
更に別の態様では、本発明は、カテーテルコネクタの梱包、発送、及び取扱いの間に使用するためのカテーテルコネクタのためのインサートに関する。前記インサートは、前記カテーテルコネクタの外部表面の周囲に少なくとも部分的にぴったりと適合するように構成されたハウジングを有する。更に、前記カテーテルコネクタは本体部を有し、前記本体部は、第２半体と軸線方向に整列した第１半体を有する。前記第１半体は、前記第２半体に対して開位置と閉位置との間で回転可能である。前記ハウジングは中空の内部を有し、前記中空の内部は、前記開位置にある前記カテーテルコネクタの外部形状に対応する形状を有する。従って、前記カテーテルコネクタの少なくとも一部分は、前記カテーテルコネクタの梱包、発送、及び取扱いの間に前記カテーテルコネクタを前記開位置に維持するように前記カテーテルコネクタが前記開位置にあるとき前記ハウジング内にぴったりと適合するように構成される。本明細書に記載された前記インサートは、他のあらゆる特徴も含み得ることを理解されたい。
【００１５】
本発明のこれらの及び特徴、態様、及び有利な効果は、以下の詳細な説明及び特許請求の範囲の記載を参照することにより、より良く理解されよう。本出願の一部である添付の図面は、発明の詳細の説明と併せて本発明の原理の説明のために、本発明のいくつかの実施形態を示す。
【図面の簡単な説明】
【００１６】
【図１】閉位置にある従来型の構造のカテーテルコネクタの実施形態の斜視図である。
【図２】開位置にある図１のカテーテルコネクタの斜視図である。
【図３】図１のカテーテルコネクタの斜視図であり、カテーテルコネクタは２つの半体に分離されてコネクタ内部の種々の構成部品を示している。
【図４】本発明の態様によるカテーテルコネクタのためのインサートの一実施形態の斜視図である。
【図５】本発明の態様によるカテーテルコネクタを用いて構成される図４のインサートの一実施形態の斜視図である。
【図６】本発明の態様によるカテーテルコネクタのためのインサートの別の実施形態の斜視図である。
【図７】本発明の態様によるカテーテルコネクタを用いて構成される図６のインサートの一実施形態の斜視図である。
【発明を実施するための形態】
【００１７】
本発明の１以上の実施形態、本発明の実施例、図面に示された実施例について以下に詳述する。各実施例及び実施形態は、本発明の説明のために提示されたものであり、本発明の限定を意味しない。例えば、１つの実施形態の一部として図示または記載された特徴を、他の実施形態と組み合わせて用いることにより、更に別の実施形態を構成することができる。本発明は、本発明の範囲及び精神の範囲内でこれらの及び他の改変形態及び変更形態を含むことが想定されている。
【００１８】
位置に関する用語「近位」及び「遠位」は、本明細書において、種々の構成部品の相互間のまたは患者に対する方向を指す。「遠位」は、創傷部位に最も近い方向を指し（例えば、コネクタの遠位端は、コネクタ挿入部位に向けて方向付けられた端部である）、「近位」は、その半体の方向を指す（例えば、カテーテルの近位端は、コネクタの遠位端に挿入される）。
【００１９】
一般的に、本開示は、カテーテルコネクタの梱包、発送、及び取扱いの間にカテーテルコネクタを維持するインサートを有するカテーテルコネクタアセンブリに関する。より具体的には、前記アセンブリが、第２半体と軸線方向に整列した第１半体を有する本体部を有する、例えばＳｔｉｎｇｒａｙ（商標）コネクタのようなカテーテルコネクタを含む。前記第１半体は、前記第２半体に対して開位置と閉位置との間で回転可能である。前記第１半体は前記本体部の遠位端を画定し、前記第２半体は前記本体部の近位端を画定する。近位端ポートは、流体供給デバイスにそれと連通するように嵌合接続するために、前記第２半体の前記近位端を用いて構成される。前記インサートは、前記カテーテルコネクタの梱包、発送、及び取扱いの間に前記カテーテルコネクタを前記開位置に維持するように前記本体部が前記開位置にあるとき前記本体部を用いて構成される。
【００２０】
本発明は、従来技術において存在しなかった多くの利点を有する。例えば、前記インサートは、カテーテルコネクタの梱包、発送、及び取扱いの間に前記カテーテルコネクタを維持する単純で使用が容易な構成部品となる。従って、前記カテーテルコネクタの内部要素は、患者のために使用される前に損なわれない加えて、前記インサートは、製造コストが比較的低く、多くのカテーテルコネクタ（例えば、本明細書に記載されたＳｔｉｎｇｒａｙ（商標）コネクタ）とともに用いることができる。
【００２１】
ここで図面を参照すると、図１〜図３には、本発明のインサートとともに使用可能なカテーテルコネクタ１０の一実施形態のいくつかの図面を示す。図示するように、カテーテルコネクタ１０は、近位端１８及び遠位端２０を有する。本体部１６は、第２半体２４と軸線方向に整列した第１半体２２を有する。第１半体２２は本体部１６の遠位端２０を画定し、第２半体２４は本体部１６の近位端１８を画定する。近位端ポート１４は、流体供給デバイス（図示せず）にそれと連通するように嵌合接続するために、第２半体２４の近位端１８を用いて構成される。上述のように、流体供給デバイスは、ポンプ、リザーバ、注射器等の従来より公知のあらゆる適切なデバイスであり得る。更に、近位端ポート１４は、ルアーロック継手等のあらゆる従来型の形態を有したものであり得る。
【００２２】
第１半体２２は、第２半体２４に対して開位置（図２）と閉位置（図１）との間で回転可能である。より詳細には、図３に示すように、第１半体２２は、その内部表面２３から延出するブッシュ２５を含み得る。ある一定の実施形態では、エラストマーチューブ２７が、ブッシュ内に構成され得る。更に、第２半体２４は、その内部にブッシュ２５を受容するように構成された対応するキャビティ２９を含み得る。従って、カテーテルコネクタ１０の軸線方向に整列した第１半体２２及び第２半体２４は、ねじって第１半体におけるカテーテル挿入孔１５を通してのカテーテルの挿入を可能にする開位置（図２）にし、その後にねじってカテーテルとの完全な係合を示す可聴クリック音または触覚で認識可能なクリック感とともに閉位置（図１）とすることができるように構成される。より詳細には、コネクタが閉位置（図１）にあるとき、ブッシュ２５内のエラストマーチューブ２７が、カテーテルを圧縮し、把持する。ある一定の実施形態では、開位置は、第１半体が第２半体に対して約４５度回転された状態であることによって定められる。別の実施形態では、第１半体２２が第２半体２４に対して任意の適切な角度だけ回転され得る。
【００２３】
図４を参照すると、図１〜図３のカテーテルコネクタ１０を、カテーテルコネクタの梱包、発送、及び取扱いの間に開位置に維持するように構成されたインサート２６の一実施形態が示されている。図示するように、インサート２６は、棒状部材２８およびタブ部材３０を有する。棒状部材２８は、近位端３１と遠位端３３を有する。更に、棒状部材２８は、カテーテルコネクタ１０が開位置にあるときその近位端３１をカテーテルコネクタ１０に挿入可能となるような形状とされる。例えば、一実施形態では、棒状部材２８はカテーテルの断面形状に一致するような実質的に円形の断面形状を有し得る。従って、図５に示すように、棒状部材２８の一部分は、カテーテルコネクタ１０をその開位置に維持するようにカテーテル挿入孔１５を通してカテーテルコネクタ１０の第１半体２２及び第２半体２４に挿入することができる。加えて、図示するように、タブ部材３０は、棒状部材２８がカテーテルコネクタ１０の第１半体２２及び第２半体２４内に挿入されているときカテーテルコネクタの遠位端２０の外部に延びるように、棒状部材２８の遠位端３３を用いて構成される。従って、タブ部材３０は、カテーテルコネクタ１０内からインサート２６を取り外す場合（例えば、カテーテルコネクタ１０が発送された後で、患者に挿入されるカテーテルとともに使用される準備ができた後）に、ユーザを補助するように構成される。
【００２４】
ここで図６を参照すると、インサート４６の別の実施形態が、カテーテルコネクタの梱包、発送、及び取扱いの間に図１〜図３のカテーテルコネクタ１０を開位置に維持するように構成されている。図示するように、インサート４６は、そのインサート４６がカテーテルコネクタ１０を開位置に維持するようにカテーテルコネクタ１０の本体部１６が開位置にあるときその本体部１６の外部表面の周囲に少なくとも部分的にぴったりと適合するように構成される。例えば、例示された実施形態に示すように、インサート４６は、中空の内部３４を有するハウジング３２を更に備え、中空の内部は、カテーテルコネクタ１０が開位置にあるときカテーテルコネクタ１０の外部形状に対応するような形状にされる。より具体的には、ある一定の実施形態では、ハウジング３２が、開位置にある回転された第１半体２２及び第２半体２４に対応する複数の区画３８を有する。従って、図７に示すように、カテーテルコネクタ１０の少なくとも一部分は、カテーテルコネクタの梱包、発送、及び取扱いの間にインサート４６がカテーテルコネクタ１０を開位置に維持するようにカテーテルコネクタ１０が開位置にあるときハウジング３２内にぴったりと適合するように構成されている。
【００２５】
更に図６及び図７を参照すると、インサート４６は、そのインサート４６をカテーテルコネクタ１０の本体部１６の外部表面の周囲に少なくとも部分的に固定するように構成された、１つ以上のロック構造３６も備え得る。例えば、ある一定の実施形態では、ロック構造３６が、成形スナップ部、アドオングリップ突条部、突出部、及び接着剤のなかの１つまたは２以上の任意の組み合わせを含み得る。
【００２６】
本明細書に記載のインサート２６、４６は、任意の適切な材料で作成することができることを理解されたい。例えば、インサート２６、４６は、金属や硬質プラスチック等の剛性または半剛性材料から作製することができる。より具体的には、インサート２６、４６は、ポリプロピレン、ポリカーボネート、ポリウレタン、ポリエステル、エポキシ樹脂、フェノール樹脂、ポリ塩化ビニル（ＰＶＣ）、または他の任意の適切なポリマー材料から作製され得る。加えて、インサート２６、４６は、アルミニウム、銅、ステンレス鋼、または他の任意の適切な金属から作製され得る。一部の実施形態では、インサート２６、４６は、ゴム材料、ポリマー材料、シリコーン材料、エラストマー材料等の可撓性または半可撓性材料からも作製され得る。より具体的には、種々の実施形態において、ポリイソプレン、ポリウレタン、スチレンブタジエン、及び／または他の任意の適切な可撓性材料から作製され得る。
【００２７】
本発明を、いくつかの一定の好ましい実施形態に関連付けて説明してきたが、本発明によって包含される発明主題は、これらの特定の実施形態に限定されないことは理解されよう。むしろ、本発明の発明主題は、特許請求の範囲の請求項の範囲及び精神の含まれ得る全ての代替形態、改変形態、及び均等物を含むことが想定されている。
【図１】
0006554487.tif 000002
【図２】
0006554487.tif 000003
【図３】
0006554487.tif 000004
【図４】
0006554487.tif 000005
【図５】
0006554487.tif 000006
【図６】
0006554487.tif 000007
【図７】
0006554487.tif 000008